(57)【要約】【課題】矯正用インプラントに取り付け易いアバットメントを提供する。【解決手段】インプラント１０の頭部１１の下側に形成されているくびれ部１２に取り付けられるアバットメントである。頭部１１よりも内径が大径の環状部からなる本体部１と、その本体部１から延びる１又は２以上の足部２とからなる。足部２は、上記軸方向に沿った方向に折り曲げられている。【選択図】        図４
2008245901.tif 000002
【特許請求の範囲】
【請求項１】
軸部が骨に固定されることで当該骨から頭部が露出すると共にその頭部の下側に当該頭部よりも小径のくびれ部を有するインプラントに対し取り付けられるアバットメントであって、
上記くびれ部に対し回転変位可能に取り付けられる本体部と、その本体部に形成された掛止部と、を備え、
上記本体部は、上記頭部よりも大きな内郭を有し、該本体部の内郭を、上記頭部側から上記軸部の軸方向へ挿入し、上記本体部を上記くびれ部に装着可能とすることを特徴とするアバットメント。
【請求項２】
上記本体部は、上記頭部よりも大きな内径を有する環状の部材からなることを特徴とする請求項１に記載したアバットメント。
【請求項３】
本体部を構成する環状の幅は、頭部とくびれ部との半径の差よりも小さいことを特徴とする請求項２に記載したアバットメント。
【請求項４】
上記本体部から延びる足部を備え、その足部は、その根本及び延在方向の途中の少なくとも一箇所で折り曲げられた形状となっていて、その折り曲げ部が掛止部を構成することを特徴とする請求項１〜請求項３のいずれか１項に記載したアバットメント。
【請求項５】
上記足部の折り曲げ部は、本体部をインプラントに取り付けた状態では、当該インプラントの軸方向に沿った方向に折り曲げられて構成されていることを特徴とする請求項４に記載したアバットメント。
【請求項６】
上記頭部に矯正用ワイヤを差し込み可能な溝を有するインプラントに取り付けられるアバットメントであって、
上記足部は、上記折り曲げ方向とは反対方向に折り曲げ可能となっていることを特徴とする請求項５に記載したアバットメント。
【発明の詳細な説明】
【技術分野】
【０００１】
本発明は、歯列矯正用インプラントへの取付けに好適なアバットメントであって、インプラントの頭部に矯正用治具を取り付けるためのアバットメントに関する。
【背景技術】
【０００２】
従来のアバットメントとしては、例えば特許文献１に記載のものがある。これは、インプラントの頭部と一体となって当該頭部から横方向に延設するアーム部を有すると共に当該アーム部の延在方向先端部にフック部を設けたものである。このように、インプラントからのアーム部の張出方向が特定の方向にだけ張り出す構成とすることで、上記フック部がインプラントの軸から離れた所望の支点位置にくるようにするものである。
【０００３】
また、板状のアバットメントとしては、例えば特許文献２に記載のものがある。これは取付け部に頭部よりも径の小さなネジ止め用の孔が開口しており、そのネジ止め用の孔にネジの軸部を貫通させ当該ネジを骨に埋入することで固定される。
また、矯正用インプラントに矯正用ワイヤ（矯正用治具）を支持させる場合、通常では、矯正用インプラントの頭部上端面に形成された十字の溝に矯正用ワイヤを差し込み、その上から上記溝内にレジンなどの充填剤を充填し固化させることで、矯正用ワイヤをインプラントの頭部に固定する。なお、上記頭部の溝はインプラントをねじ込む際のドライバ溝としても使用される。
【０００４】
また、矯正用インプラントの頭部を特殊な専用形状とし、専用の頭部に形成した溝部上部の対向する部分に、細い針金を貫通可能な穴を開けておき、その穴に針金を通して結紮して矯正用ワイヤの抜け止めとすることも考えられている。
また、特許文献３のように、頭部に溝を設ける代わりに、頭部の下に形成されているくびれ部の横に矯正用ワイヤを配置した状態で、頭部に小型のねじを螺合させ、その小型のねじの軸部先端を突出されて矯正用ワイヤの抜け止めとする技術もある。
【特許文献１】特開平１０−９９３４７号公報
【特許文献２】特開２００５−６６０６８号公報
【特許文献３】特開２００４−５７７２９号公報
【発明の開示】
【発明が解決しようとする課題】
【０００５】
上記特許文献１の技術では、頭部と一体にアームが形成されている特殊なインプラントを使用する必要があり、汎用性がない。なお、このようなアームと頭部とが一体成形されているインプラントの場合には、インプラントの埋入の際に、軸周りの向きを上手く調節しないと、アームの向きが所望の向きにならなかったり、軸部の埋入量が所望の量にならなかったりするおそれがある。
【０００６】
また、特許文献２のアバットメントでは、骨に埋入したネジを取り外さないと、アバットメントを外すことが出来ない。なお、この技術を矯正用インプラントに取り付けられるアバットメントに援用した場合には、インプラントとして、特許文献１のような、軸部に対し頭部がネジによって取り付けられる構成のものを使用する必要があり、軸部から頭部を一旦外した状態として、アバットメントに設けたネジ止め用の孔をインプラントの上部に通した後に頭部を軸部に再螺合させて組み付けることが想定される。ここで、インプラントは小さな部品であるので、孔が小さいほど取付けの操作が面倒になる。また、この場合には、軸部に対して頭部がネジ止めするタイプのインプラントにしか使用出来ない。
【０００７】
また、上述のような従来の矯正用ワイヤの固定方法にあっては、充填剤を使用すると一度固定した矯正用ワイヤをインプラントから外すことが出来ず、同じインプラントの頭部に対し他の矯正用治具を取り付けることが出来ない。
また、先行文献３などの構造では、専用のインプラントとなることから、用途に応じて多種のインプラントを用意し、インプラント自体を取り替える必要がある。
本発明は、上記のような点に着目してなされたもので、矯正用インプラントに取付け易いアバットメントの提供を課題としている。
【課題を解決するための手段】
【０００８】
上記課題を解決するために、本発明のうち請求項１に記載した発明は、軸部が骨に固定されることで当該骨から頭部が露出すると共にその頭部の下側に当該頭部よりも小径のくびれ部を有するインプラントに対し取り付けられるアバットメントであって、
上記くびれ部に対し回転変位可能に取り付けられる本体部と、その本体部に形成された掛止部と、を備え、
上記本体部は、上記頭部よりも大きな内郭を有し、該本体部の内郭を、上記頭部側から上記軸部の軸方向へ挿入し、上記本体部を上記くびれ部に装着可能とすることを特徴とするものである。
【０００９】
次に、請求項２に記載した発明は、請求項１に記載した構成に対し、上記本体部は、上記頭部よりも大きな内径を有する環状の部材からなることを特徴とするものである。
ここで、一般に、アバットメントは、金属、好ましくはチタン合金から構成されていて、上記環状の部材からなる本体部は、ペンチ等で当該環状の形状を変形させることが可能である。そして、例えば、上記本体部を上記くびれ部に位置させて、上記環状形状を、一部の内径が頭部の径よりも小さくなるように変形させることで、アバットメントは、インプラントの頭部から抜け無いようになる。
【００１０】
次に、請求項３に記載した発明は、請求項２に記載した構成に対し、本体部を構成する環状の幅は、頭部とくびれ部との半径の差よりも小さいことを特徴とするものである。
次に、請求項４に記載した発明は、請求項１〜請求項３のいずれか１項に記載した構成に対し、上記本体部から延びる足部を備え、その足部は、その根本及び延在方向の途中の少なくとも一箇所で折り曲げられた形状となっていて、その折り曲げ部が掛止部を構成することを特徴とするものである。
【００１１】
次に、請求項５に記載した発明は、請求項４に記載した構成に対し、上記足部の折り曲げ部は、本体部をインプラントに取り付けた状態では、当該インプラントの軸方向に沿った方向に折り曲げられて構成されていることを特徴とするものである。
次に、請求項６に記載した発明は、請求項５に記載した構成に対し、上記頭部に矯正用ワイヤを差し込み可能な溝を有するインプラントに取り付けられるアバットメントであって、
上記足部は、上記折り曲げ方向とは反対方向に折り曲げ可能となっていることを特徴とするものである。
【発明の効果】
【００１２】
本発明のアバットメントは、くびれ部を有するインプラントであればどのインプラントに対しても適用可能であり、且つインプラントへの取付けも容易である。
また、掛止部を足部に設ける場合には、その足部の折り曲げを工夫することで複数の用途に使用可能なアバットメントとなる。
【発明を実施するための最良の形態】
【００１３】
次に、本発明の第１実施形態について図面を参照しつつ説明する。
図１は、本実施形態に係るアバットメントを説明するための平面図である。
（構成）
本実施形態のアバットメントは、図１に示すように、平板状部材からなり、円環状の環状の部材からなる本体部１と、その本体部１と一体に形成されると共にその本体部１からそれぞれ反対方向に向けて左右に延びる２本の足部２とから構成されている。図１のアバットメントでは、足部２が平面視で長方形形状の板部材から構成されると共に、先端部の角部が面取りされて丸くなっている。また、図１は足部に折り曲げ加工をする前の状態を示す図である。なお、アバットメントの好適な素材はチタン合金である。
【００１４】
上記円環状の本体部１は、対象とするインプラント１０の頭部１１を通すことが可能な大きさの内径を有する。即ち、円環状の内径の最小径が頭部１１の径よりも大きい。図１では、本体部１の円環形状が真円の場合を例示しているが、楕円状の環状であっても良い。要は、頭部１１に通すことが可能な径の環形状となっていれば、環の形状は限定されない。なお、上記本体部１の内径の最小径は、例えばインプラント１０の頭部１１の径より０．１ｍｍ〜０．５ｍｍ程度の間隙ができるような大きさに設定すればよい。もっとも、後述のように一部の径が小さくなるような変形で頭部１１からの抜け止めが可能であれば、これよりも内径が大きくても良い。
【００１５】
上記足部２は、図１に示す延在方向途中位置の折り曲げ部２ａで、図２のように、インプラント１０の軸方向に沿った方向（図では上方）に折り曲げられ加工が施されている。本実施形態では、足部２の延在方向先端部がインプラント１０の頭部１１側を向くように折り曲げられている例である。この折り曲げられた足部２の位置を掛止部と呼ぶ。この図２の場合には、掛止部は横方向に向いている。
【００１６】
（使用例）
アバットメントの本体部１を、図２の二点鎖線で示すように、インプラント１０における頭部１１の下側にあるくびれ部１２に配置する。この配置は、例えば次のようにして行う。
まず、円環状の本体部１の穴１ａを、インプラント１０の頭部１１から差し込んで、当該本体部１をくびれ部１２に位置するように装着する。その後に、模式図である図３や斜視図である図４のように、上記左右の足部２の位置とは直交する方向（図１の矢印方向）から、ペンチなどで、当該直交方向の径が小さくなるように、つまり環状を変形させる。この変形を、上記直交方向の内径が頭部１１の径よりも小さくなるまで変形させることで、本体部１は頭部１１から抜けることが無くなる。なお、本体部１を構成する環の幅は、頭部１１とくびれ部１２の半径の差未満として、本体部１の回転変位をできるだけスムーズになるようにしておくことが好ましい。
【００１７】
もっとも、本体部１を構成する環の幅が、頭部１１とくびれ部１２の半径の差以上であっても、アバットメントクリンピングプライヤー（例えば、株式会社バイオデント製の型番Ｂ３５−００８を例示出来る。）などを使用して、上記本体部１を変形させるようにすれば、本体部１を過度に変形させることが防止されて、くびれ部１２に対し確実に本体部１が回動変位自在な状態で且つ頭部１１からの抜けを防止できる。
【００１８】
以上のようにしてインプラント１０の本体部１に取り付けられたアバットメントは、インプラント１０の頭部１１から抜けることなく、くびれ部１２に対し回転変位可能な状態で支持される。回動変位可能であるから、インプラント１０の円周方向における掛止部の位置が、掛止方向などによって変位する。
なお、上記アバットメントのインプラント１０への取付けは、インプラント１０を口腔内において骨に固定する前に行っても良いし、インプラント１０を骨に固定した後であっても良い。即ち、本実施形態のアバットメントは、インプラント１０を骨に固定した後であっても、脱着可能なものである。
【００１９】
そして、上記のように骨に固定されたインプラント１０に取り付けられたアバットメントの足部２が形成する掛止部に対して、スプリングなどの牽引用の矯正治具（不図示）の端部を取り付ける。この取付けは、牽引用の矯正治具の端部に設けられたリングなどの掛止具を掛止部に引っ掛けることなどで実施しても良いし、矯正治具の端部のワイヤを掛止部に巻き付けることなどで取り付けても良い。この取付けは、公知の方法で行えばよい。
【００２０】
また、上記アバットメントをインプラント１０から取り外す場合には、上記牽引用の矯正治具を外してフリーな状態にしてから、環状部材からなる本体部１について、左右の足部２側から中心に向けて、ペンチなどで力を掛けて変形させ、その変形で、上記直交方向の径を頭部１１の径以上となるように処理すれば良い。このように変形させることで、上記アバットメントは、インプラント１０を骨に固定した状態で取り外すことが出来て、取り外したインプラント１０に対して別のアバットメントを取付け可能となる。
ここで、上記本体部１をくびれ部１２に取り付ける場合の変形及び取り外すための変形をさせる部分は、上記の位置にこだわらない。環状部材の径の一部が小さくなるように変形させてインプラント１０に取付け、また、その変形を戻すように環状部材を変形させて外せれば良い。
【００２１】
（効果）
本実施形態では、頭部１１側から環状の本体部１を通してインプラント１０のくびれ部１２に支持させるので、インプラント１０が骨に固定された状態であっても、着脱が容易となる。特に本体部１の内径は頭部１１の径より大きい穴となって、従来のようなネジ止め用の孔よりも内径が大きい分、取付け易くなる。
なお、インプラント１０の頭部１１側から差し込むことを想定しても、インプラント１０の軸と直交するように本体部１の姿勢を正確に保ちながら通す必要がないので、差し込みも容易である。なお、インプラントの軸部側（下側）から本体部１を差し込んでも良い。
また、本体部１が環状の部材であるので、一部の径が小さくなるように変形させることで、上述のようにインプラント１０からの抜けが防止できる。
【００２２】
（応用例）
上記実施形態では、足部２が左右２本の場合を例示しているが、１本でも良いし、３本以上本体部１から放射状に延在していても良い。図５に足部２が一本の場合を例示する。また、足部２の長さは、図２及び図５のような長さに限定されない。利用部位などによって、図６のように長くても良い。例えば、粘膜の厚い部位に使用する場合には、足部２が短いと、当該足部２が粘膜の下に埋まってしまうおそれがある。この場合には、足部２が長い方が良い。
また、足部２の折り曲げ具合も上記形状に限定されず、牽引治具の端部が足部２に掛止できれば、他の曲げ形状となっていても良い。
また、図７のように、掛止部２ａは、インプラントの軸に沿った方向に折れ曲がっていなくても良い。また、図８のように、掛止部２ａを孔で構成しても良い。
【００２３】
（第２実施形態）
次に、第２実施形態について図面を参照しつつ説明する。上記実施形態と同様な部品などについては同一の符号を付して説明する。
本実施形態のアバットメントの基本構造は、上記第１実施形態と同様であるが、その使用が異なる。
本実施形態では、図９に示すように、上記折り曲げ部２ａで折り曲げた足部２をその折り曲げ部２ａよりも本体部１側の第２の折り曲げ部２ｂで当該折り曲げ部２ａでの折り曲げ方向とは反対側に折り曲げて構成したものである。
【００２４】
アバットメントの形状を、最初からこの形状に成形しておいても良いし、上記第１実施形態のアバットメントを使用して、現場などで、上記第２の折り曲げ加工を施しても良い。
アバットメントがチタン合金であれば、現場においてペンチなどで第２の折り曲げ２ｂを行うことが出来る。
上記のように第２の折り曲げを行うことで、第１の折り曲げ部２ａの位置が、本体部１に対しアバットメントの板厚方向にオフセットする。なお、図９では、下側がインプラント１０の頭部１１側となる。
【００２５】
（使用例）
そして、第１実施形態とは天地を反対にしてアバットメントをインプラント１０に取り付けることで、インプラント１０のくびれ部１２に本体部１を配置し、第１実施形態と同様に本体部１を変形させて、くびれ部１２に対し本体部１を回転変位可能な状態に取り付ける。
そして、図１０に示すように、インプラント１０の頭部１１に形成された溝１１ａ内に矯正用ワイヤ２０を差し込むと共に、平面視で（インプラント１０の軸方向からみて）頭部１１から外径側に張り出している足部２の第１折り曲げ部２ａに対し、結紮部材２１であるゴム材や針金を、頭部１１に嵌め込んだ矯正用ワイヤ２０を跨ぐように結紮して取り付ける。これによって、矯正用ワイヤ２０はインプラント１０の頭部１１に固定される。
【００２６】
（効果）
このように、上記アバットメントの本体部１をインプラント１０のくびれ部１２に取り付けるだけで、矯正用ワイヤ２０を結紮するための掛止部分となる足部２が複数設けられて、簡易に矯正用ワイヤ２０を固定することが出来る。すなわち、矯正用ワイヤ２０を固定するための専用のインプラント１０が不要である。
さらに、図９及び図１０に示すように、２本の足部２の先端部がインプラント１０の軸部側（頭部１１から離れる側）に折れ曲がっていることで、結紮部材２１を引っかけ易くなっている。本実施形態では、本体部１を頭部１１から離れる方向に撓んだ形状とすることで、より上記折れ曲がり部分に結紮部材２１が掛止しやすい形状となっている。
【００２７】
また、図９のように、上記第１の折り曲げ部２ａの位置がくびれ部１２よりも頭部１１側にオフセットしている分だけ、結紮部材を２１引っかけ易くなっている。
また、上記アバットメントは、着脱可能となっているので、当該アバットメントを外して、他の用途のアバットメントを同じインプラント１０に取り付けることも出来る。すなわち、歯列矯正の状況に合わせて、埋設したインプラント１０の頭部１１に取り付ける治具を変えることが出来る。
【００２８】
さらに、上記アバットメントは、第１実施形態と同様に、例えば頭部１１側から本体部１をくびれ部１２に向けて通すだけであるので、取付けが容易である。なお、本アバットメントは小型の治具であるので、操作が簡単な方が好ましい。
更にまた、アバットメントとして第１実施形態で説明したアバットメントを使用して、第２の曲げ加工を施して使用する場合には、同じアバットメントを、牽引用の矯正治具の取付け用にも使用できると共に、矯正用ワイヤの取付け用にも使用できるという２通りの使用が可能となる。
【００２９】
（その他の例）
図１１のように、環状の本体部１と一連となって取付け用環部３０を形成しても良い。本体部１とその取付け用環部３０で一つの輪を構成し、その連結部（図１１の符号３１）の開きが頭部１１の径未満とすると共に、取付け用環部３０の内径を、頭部１１の径未満且つくびれ部１２の径より大径に設定する。
このような構造の場合には、本体部１をくびれ部１１に配置した後に、本体部１を横方向に引っ張って、上記連結部３１を一時的に開くように変形させて、取付け用環部３０内にくびれ部１２を位置させる。
【図面の簡単な説明】
【００３０】
【図１】本発明に基づく第１実施形態に係るアバットメントの曲げる前の構造を示す平面図である。
【図２】本発明に基づく第１実施形態に係るアバットメントを示す側面図である。
【図３】本発明に基づく第１実施形態に係る本体部の変形を説明する模式図である。
【図４】本発明に基づく第１実施形態に係るインプラントに取り付けた状態を示す図である。
【図５】本発明に基づく第１実施形態に係るアバットメントの別例を示す斜視図である。
【図６】本発明に基づく第１実施形態に係るアバットメントの別例を示す斜視図である。
【図７】本発明に基づく第１実施形態に係るアバットメントの別例を示す平面図である。
【図８】本発明に基づく第１実施形態に係るアバットメントの別例を示す平面図である。
【図９】本発明に基づく第２実施形態に係るアバットメントを示す側面図である。
【図１０】本発明に基づく第２実施形態に係るインプラントに取り付けた状態を示す図である。
【図１１】アバットメントの別例を示す平面図である。
【符号の説明】
【００３１】
１    本体部
１ａ  穴
２    足部
２ａ  第１の折り曲げ部
２ｂ  第２の折り曲げ部
１０  インプラント
１１  頭部
１１ａ  頭部の溝
１２  くびれ部
２０  矯正用ワイヤ
２１  結紮部材
【図１】
2008245901.tif 000003
【図２】
2008245901.tif 000004
【図３】
2008245901.tif 000005
【図４】
2008245901.tif 000006
【図５】
2008245901.tif 000007
【図６】
2008245901.tif 000008
【図７】
2008245901.tif 000009
【図８】
2008245901.tif 000010
【図９】
2008245901.tif 000011
【図１０】
2008245901.tif 000012
【図１１】
2008245901.tif 000013